(57)【特許請求の範囲】
【請求項１】
サーバと、一人の利用者が同時にログイン状態となることが可能な複数のカラオケリモコン装置と、当該複数のカラオケリモコン装置とペアリング可能なカラオケ演奏装置とがデータ通信可能に接続されたカラオケシステムであって、
前記サーバは、
利用者の利用履歴を記憶する利用履歴記憶手段と、
利用者が前記カラオケリモコン装置を用いてログアウトする際に、当該利用者の利用履歴を更新する利用履歴更新手段と、
利用者のログイン及びログアウトの記録を管理し、利用者が一のカラオケリモコン装置からログアウトした際に、当該利用者の当該カラオケリモコン装置へのログイン中に他のカラオケリモコン装置からのログアウトの記録の有無を判定する判定手段と、を備え、
前記カラオケ演奏装置は、
利用者の歌唱に係る情報を出力する情報出力手段を備え、
前記カラオケリモコン装置は、
利用者がログインした際に、前記サーバから送信された当該利用者の利用履歴を記憶する利用履歴一時記憶手段と、
利用者による前記カラオケリモコン装置の操作及び前記情報出力手段から出力された歌唱に係る情報に基づいて、前記利用履歴一時記憶手段に記憶した当該利用者の利用履歴に履歴を追加する利用履歴追加手段と、を備え、
利用者が一のカラオケリモコン装置からログアウトした際に、前記判定手段により、当該利用者の当該カラオケリモコン装置へのログイン中に他のカラオケリモコン装置からのログアウトの記録がないと判定された場合には、前記利用履歴更新手段は、前記利用履歴記憶手段に記憶された当該利用者の利用履歴を、当該カラオケリモコン装置の利用履歴一時記憶手段に記憶された利用履歴に置き換え、
利用者が一のカラオケリモコン装置からログアウトした際に、前記判定手段により、当該利用者の当該カラオケリモコン装置へのログイン中に他のカラオケリモコン装置からのログアウトの記録があると判定された場合には、前記利用履歴更新手段は、前記利用履歴記憶手段に記憶された当該利用者の利用履歴と当該カラオケリモコン装置の利用履歴一時記憶手段に記憶された当該利用者の利用履歴とを比較し、前記利用履歴追加手段により追加された履歴のみを、前記利用履歴記憶手段に記憶された利用履歴に追加する、
ことを特徴とするカラオケシステム。
【発明の詳細な説明】
【技術分野】
【０００１】
本発明はカラオケシステムに関するものであり、詳しくは、１台のカラオケ演奏装置に対して複数台のカラオケリモコン装置を関連付けることが可能なシステムにおいて、同時期に重複してログインした利用者の利用履歴を追加して管理することが可能なカラオケシステムに関するものである。
【背景技術】
【０００２】
楽曲の検索操作や予約操作、その他のコンテンツを利用する際に用いるカラオケリモコン装置は、従前、カラオケ演奏装置１台に対して、専用のカラオケリモコン装置が１台設置されており、この１台のカラオケリモコン装置を、複数の利用者が代わる代わる使用していた。
【０００３】
しかし、現在では、１台のカラオケ演奏装置に対して、複数のカラオケリモコン装置を関連付ける（ペアリングする）ことが可能であり、カラオケルームや、スナックバー等では、利用者の利便性を考慮して、店舗に複数台のカラオケリモコン装置を設置し、あるいは、最新機種のカラオケリモコン装置と旧機種のカラオケリモコン装置の双方を使用している場合がある。
【０００４】
このように、１台のカラオケ演奏装置に対して複数台のカラオケリモコン装置が関連付けられている場合に、各利用者はいずれかのカラオケリモコン装置からログインすることにより、選曲予約操作や、その他のコンテンツを利用することになるが、各利用者がそれぞれ特定のカラオケリモコン装置のみを利用するとは限らず、席の移動や、他の利用者によるカラオケリモコン装置の利用状況等に応じて、他のカラオケリモコン装置へもログインして利用する場合もある。
【０００５】
ところで、カラオケ利用者に利用者ＩＤを付与し、利用者が当該利用者ＩＤを用いてカラオケシステムにログインすることにより、種々のサービスを受けることが可能な会員サービスが普及している。このような会員サービスとして、例えば、利用者毎に歌唱履歴や採点履歴等の利用履歴を管理して、利用者が過去の利用履歴を参照したり、新たに利用履歴を追加したりすることができるサービスがある。
【０００６】
一般的に、利用履歴の管理サービスを利用するには、カラオケシステムにログインする必要があり、このログインは利用するカラオケリモコン装置毎に行うようになっているが、利用者が同時期に重複してログインを行った場合には、利用者情報が消滅したり重複したりしないように適切な管理を行わなければならない。そこで、一人の利用者が複数台のカラオケリモコン装置を使用する場合に、利用者情報を管理するための技術が種々提案されている（例えば、特許文献１、特許文献２参照）。
【０００７】
特許文献１に記載された技術は、カラオケ演奏装置がホストサーバにより認証された際に利用したカラオケリモコン装置以外の特定のカラオケリモコン装置からユーザの操作によって送信されてくる情報を、認証手段により認証されたユーザによる情報とみなしてホストサーバへ転送するとともに、ホストサーバから受信した当該ユーザの個人用情報を特定のカラオケリモコン装置へ転送するようになっている。
【０００８】
この技術によれば、ログインしたカラオケリモコン装置以外のカラオケリモコン装置に対して、ホストサーバがログインリストを送信することにより、ログインリストを受信したカラオケリモコン装置は、利用者に対してログインリストに表示されたリストの中に、自身の利用者ＩＤが存在するか否かを選択させ、先にログインしたカラオケリモコン装置の接続を解消せずに、異なるカラオケリモコン装置において利用者の切替処理を行うことができるとしている。
【０００９】
特許文献２に記載された技術は、１台のカラオケ演奏装置で複数の利用者を認証して利用可能なカラオケリモコン装置において、他のカラオケ演奏装置に対応付けられたカラオケリモコン装置にて同一利用者による利用を検出した場合に、当該利用者について利用ユーザ順列内での位置を移動させることで、他室などで利用している利用者の分身像を表示枠内から外して表示させるようになっている。
【００１０】
この技術によれば、単一の利用者が先にログインを行ったカラオケリモコン装置とは異なるカラオケリモコン装置を用いて、ログイン操作や選曲予約操作を行った場合に、先にログインしたカラオケリモコン装置に表示されているアバターやユーザ名等の利用者を特定するための情報を新たなカラオケリモコン装置に移動させることができるとしている。
【先行技術文献】
【特許文献】
【００１１】
【特許文献１】特開２００７−２６４４０４号公報
【特許文献２】特開２０１３−５０５６８号公報
【発明の概要】
【発明が解決しようとする課題】
【００１２】
しかしながら、特許文献１に記載された技術は、複数台のカラオケリモコン装置を併用する際に利用者の切替処理を行う技術であるため、各カラオケリモコン装置において各利用者がそれぞれ残した歌唱履歴、採点履歴、各種コンテンツの利用履歴等を追加して管理することはできない。なお、各利用者の歌唱履歴等を記録した個人用ウェブサイトを更新することは可能であるが、このような更新操作は、利用者自身が各カラオケリモコン装置を操作して行う必要がある。
【００１３】
また、特許文献２に記載された技術は、異なるカラオケ演奏装置に接続されている複数のカラオケリモコン装置の間で、ログインした利用者の移動を行う技術である。具体的には、利用者が隣接する部屋を行き来する際に、ログインした利用者を切替える技術であるため、特許文献１に記載された技術と同様に、各カラオケリモコン装置において各利用者がそれぞれ残した歌唱履歴、採点履歴、各種コンテンツの利用履歴等を追加して管理することはできない。さらに、特許文献２に記載された技術は、同一室内で複数台のカラオケリモコン装置を併用することについて何ら考慮されていない。
【００１４】
さらに、利用履歴を用いた会員サービスを実施する際に、従前のようにカラオケ演奏装置とカラオケリモコン装置が一対一の関係である場合には、対象となる利用者の利用履歴のすべてを、サーバからカラオケリモコン装置に送信し、当該利用履歴を受信したカラオケリモコン装置は、ログアウト時にサーバから受信した利用履歴に、当該利用者の歌唱により新たに生成された利用履歴を追加してサーバへ送信することにより、利用者の利用履歴を上書き更新していた。
【００１５】
しかし、カラオケ演奏装置に対して複数のカラオケリモコン装置を関連付けることができるようになったため、従前のように、ログアウト毎に利用者の利用履歴を上書き更新する処理では、利用者が複数のカラオケリモコン装置を用いて重複ログインしていた場合に、先にログアウトしたカラオケリモコン装置にて生成した利用履歴が、上書き更新処理により消去されてしまう。
【００１６】
本発明は、上述した事情に鑑み提案されたもので、１台のカラオケ演奏装置に対して複数台のカラオケリモコン装置を関連付けることが可能なシステムにおいて、同時期に重複してログインした利用者の利用履歴を追加して管理することが可能なカラオケシステムを提供することを目的とする。
【課題を解決するための手段】
【００１７】
本発明に係るカラオケシステムは、上述した目的を達成するため、以下の特徴点を有している。すなわち、本発明に係るカラオケシステムは、サーバと、一人の利用者が同時にログイン状態となることが可能な複数のカラオケリモコン装置と、当該複数のカラオケリモコン装置とペアリング可能なカラオケ演奏装置とがデータ通信可能に接続されたカラオケシステムに関するものである。
【００１８】
サーバは、利用者の利用履歴を記憶する利用履歴記憶手段と、利用者がカラオケリモコン装置を用いてログアウトする際に、当該利用者の利用履歴を更新する利用履歴更新手段と、利用者のログイン及びログアウトの記録を管理し、利用者が一のカラオケリモコン装置からログアウトした際に、当該利用者の当該カラオケリモコン装置へのログイン中に他のカラオケリモコン装置からのログアウトの記録の有無を判定する判定手段とを備えている。
【００１９】
カラオケ演奏装置は、利用者の歌唱に係る情報を出力する情報出力手段を備えている。カラオケリモコン装置は、利用者がログインした際に、サーバから送信された当該利用者の利用履歴を記憶する利用履歴一時記憶手段と、利用者によるカラオケリモコン装置の操作及び情報出力手段から出力された歌唱に係る情報に基づいて、利用履歴一時記憶手段に記憶した当該利用者の利用履歴に履歴を追加する利用履歴追加手段とを備えている。
【００２０】
そして、利用者が一のカラオケリモコン装置からログアウトした際に、判定手段により、当該利用者の当該カラオケリモコン装置へのログイン中に他のカラオケリモコン装置からのログアウトの記録がないと判定された場合には、利用履歴更新手段は、利用履歴記憶手段に記憶された当該利用者の利用履歴を、当該カラオケリモコン装置の利用履歴一時記憶手段に記憶された利用履歴に置き換える。
【００２１】
一方、利用者が一のカラオケリモコン装置からログアウトした際に、判定手段により、当該利用者の当該カラオケリモコン装置へのログイン中に他のカラオケリモコン装置からのログアウトの記録があると判定された場合には、利用履歴更新手段は、利用履歴記憶手段に記憶された当該利用者の利用履歴と当該カラオケリモコン装置利用履歴一時記憶手段に記憶された当該利用者の利用履歴とを比較し、利用履歴追加手段により追加された履歴のみを、利用履歴記憶手段に記憶された利用履歴に追加する。
【発明の効果】
【００２２】
本発明のカラオケシステムによれば、１台のカラオケ演奏装置に対して複数台のカラオケリモコン装置を関連付けることが可能なカラオケシステムにおいて、ログインした同一の利用者が同時期に複数のカラオケリモコン装置を使用して選曲予約を行った場合に、重複するログインからログアウトまでの利用履歴を追加して管理することができる。したがって、各利用者の歌唱履歴、採点履歴等からなる利用履歴に欠落が生じることがなく、利用履歴のすべてを適切に管理することができる。
【００２３】
また、旧機種のカラオケリモコン装置のように、１台のカラオケ演奏装置に１台のカラオケリモコン装置が関連付けられている場合には、利用履歴を上書き更新するという基本処理を変えずに済むため、旧機種のカラオケリモコン装置と最新機種のカラオケリモコン装置を併用して使用した場合であっても、利用履歴を適切に管理することができる。
【図面の簡単な説明】
【００２４】
【図１】本発明の実施形態に係るカラオケシステムの概略構成を示すブロック図。
【図２】ログイン利用者データベースの一例を示す説明図。
【図３】利用履歴データベースの一例を示す説明図。
【図４】利用履歴情報の追加手順を示す説明図。
【発明を実施するための形態】
【００２５】
以下、図面を参照して、本発明のカラオケシステムの実施形態について説明する。図１〜図４は本発明の実施形態に係るカラオケシステムを説明するもので、図１はカラオケシステムの概略構成を示すブロック図、図２はログイン利用者データベースの一例を示す説明図、図３は利用履歴データベースの一例を示す説明図、図４は利用履歴情報の追加手順を示す説明図である。
【００２６】
＜カラオケシステムの概要＞
本発明の実施形態に係るカラオケシステム１００は、図１に示すように、カラオケ演奏装置１０、カラオケリモコン装置２０、サーバ９０により構成されるシステムである、そして、サーバ９０は、利用履歴記憶手段（サーバ記憶手段９５）、利用履歴更新手段９３、判定手段９４を備えており、カラオケ演奏装置１０は、情報出力手段１０８を備えており、カラオケリモコン装置２０は、利用履歴一時記憶手段（データ記憶部２０ｃ）、利用履歴追加手段２０ｄを備えている。
【００２７】
このカラオケシステム１００では、１台のカラオケ演奏装置１０において複数台のカラオケリモコン装置２０を利用する場合に、ログインした同一の利用者が同時期に複数のカラオケリモコン装置２０を使用して選曲予約を行うと、すべてのカラオケリモコン装置２０における利用履歴を追加して管理することができる。
【００２８】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２９】
＜カラオケ演奏装置及び付帯機器＞
本発明の実施形態に係るカラオケシステム１００を適用するカラオケ演奏装置１０には、図１に示すように、マイクロホン３０、スピーカ４０、表示装置５０、ミキシングアンプ６０、カラオケリモコン装置２０が付帯している。本実施形態では、１台のカラオケ演奏装置１０に対して、複数（例えば３台）のカラオケリモコン装置２０がペアリング（関連付け）されている。カラオケ演奏装置１０及びカラオケリモコン装置２０は、ルータ７０及びインターネット、専用電話回線、一般電話回線、無線通信回線、ＬＡＮ回線等のデータ通信回線８０を介して、サーバ９０とネットワーク接続されている。なお、本実施形態では、１台のカラオケ演奏装置１０に対して複数台（例えば３台）のカラオケリモコン装置２０をペアリングすることができる。
【００３０】
＜サーバ＞
サーバ９０は、複数のカラオケ演奏装置１０及びカラオケリモコン装置２０と通信を行うことにより、種々の制御信号及びデータを送受信して総合的に管理するための装置である。また、図示しないが、サーバ９０は、データ通信回線８０及び通信基地局を介して、利用者が所持する携帯情報端末とデータ通信を行うことができるように構成してもよい。
【００３１】
サーバ９０は、図１に示すように、ＣＰＵ等を含むサーバ制御手段９１、サーバ通信制御手段９２、利用履歴更新手段９３、判定手段９４、利用履歴記憶手段として機能するとともにサーバで管理する各種のデータを記憶するサーバ記憶手段９５を備えている。
【００３２】
＜サーバ制御手段＞
サーバ制御手段は、サーバ９０を総合的に制御するための電子機器であり、図示しないが、例えばＣＰＵ及びその周辺機器により構成されており、ＣＰＵ等がＲＯＭ等に記憶されたプログラムに従って動作することにより、制御機能を発揮することができるようになっている。
【００３３】
＜サーバ通信制御手段＞
サーバ通信制御手段９２は、カラオケ演奏装置１０及びカラオケリモコン装置２０との間で、データ及び信号の送受信を制御するための電子機器及びプログラムからなる。このサーバ通信制御手段９２により、カラオケ演奏装置１０及びカラオケリモコン装置２０との間で送受信するデータ及び信号の同期や誤り制御等を行う。
【００３４】
＜利用履歴記憶手段（サーバ記憶手段）＞
利用履歴記憶手段は、利用者の利用履歴を記憶するための手段であり、例えば、ＨＤＤ等からなるサーバ記憶手段９５の一機能として実現される。サーバ記憶手段９５には、サーバ９０で管理する他のデータ（例えば、ログイン利用者データベース９５ａ）を記憶することができる。利用者の利用履歴とは、各利用者の歌唱に係る履歴のことであり、選曲予約を行い歌唱したカラオケ楽曲のデータ、予約時間のデータ、採点データ等を時系列的に関連付けた情報である。
【００３５】
＜利用履歴更新手段＞
利用履歴更新手段９３は、利用者がカラオケリモコン装置２０を用いてログアウトする際に、当該利用者の利用履歴を更新するためのプログラムからなる。すなわち、利用者がカラオケリモコン装置２０にログインすると、当該カラオケリモコン装置２０の利用履歴一時記憶手段（データ記憶部２０ｃ）に、サーバ９０から送信された当該利用者の利用履歴が記憶される。利用履歴更新手段９３は、カラオケリモコン装置２０の利用履歴一時記憶手段（データ記憶部２０ｃ）に記憶された利用履歴を受信して、判定手段９４の判定に応じて、利用履歴記憶手段（サーバ記憶手段９５）に記憶した利用履歴（利用履歴データベース９５ｂ）を上書きまたは追加することにより更新する。なお、利用履歴（利用履歴データベース９５ｂ）の更新方法については、後に詳述する。
【００３６】
＜利用履歴データベース＞
利用履歴データベース９５ｂは、利用履歴記憶手段（サーバ記憶手段９５）に記憶される利用者毎の利用履歴に係るデータベースである。利用履歴データベース９５ｂは、例えば、図３に示すように、利用者ＩＤと、予約楽曲ＩＤと、予約日付及び予約時間と、採点データとを関連付けたデータベースである。なお、予約時間については、当該楽曲の演奏開始時間又は演奏終了時間であってもよい。上述したように、この利用履歴データベース９５ｂを参照することにより、各利用者の利用履歴を取得することができる。なお、図３に示す例では、一人の利用者の利用履歴を示しているが、利用履歴データベース９５ｂには、会員登録された利用者毎に利用履歴が記憶されている。
【００３７】
＜判定手段＞
判定手段９４は、利用者のログイン及びログアウトの記録を管理し、利用者が一のカラオケリモコン装置２０からログアウトした際に、当該利用者の当該カラオケリモコン装置２０へのログイン中に他のカラオケリモコン装置２０からのログアウトの記録の有無を判定するためのプログラムからなる。この判定手段９４におけるログイン及びログアウトの判定は、ログイン利用者データベース９５ａを参照することにより行われる。
【００３８】
＜ログイン利用者データベース＞
ログイン利用者データベース９５ａは、カラオケリモコン装置２０にログインした利用者に係るデータベースであり、図２に示すように、カラオケリモコン装置２０にペアリングされた（関連付けられた）カラオケ演奏装置１０の演奏装置ＩＤ、利用者ＩＤ、リモコンＩＤ、日付、ログイン時間及びログアウト時間を関連付けたデータベースである。
【００３９】
＜カラオケリモコン装置＞
カラオケリモコン装置２０は、ユーザインタフェース機能を備えており、ルータ７０及びデータ通信回線８０を介して、カラオケ演奏装置１０及びサーバ９０との間でデータの送受信を行うようになっている。このカラオケリモコン装置２０は、楽曲検索手段２０ａとして機能するプログラム、楽曲索引データベース２０ｂ、利用履歴一時記憶手段として機能するとともに種々のデータを記憶するデータ記憶部２０ｃ、利用履歴追加手段２０ｄ、データの入出力を行うための入出力表示部２０ｅを備えている。
【００４０】
このカラオケリモコン装置２０に付帯するスイッチ類や、入出力表示部２０ｅに表示される各種のアイコン等を操作することにより、選曲操作、音量調整、テンポ調整、キー調整、選曲予約履歴の参照、利用履歴の管理及び追加等の処理が行われる。
【００４１】
＜楽曲検索手段／楽曲索引データベース＞
楽曲検索手段２０ａは、利用者の指示に基づき、楽曲索引データベース２０ｂを参照して楽曲を検索するためのプログラムからなる。楽曲索引データベース２０ｂは、カラオケ演奏装置１０で演奏に供されるカラオケ楽曲について、その属性情報を記述したデータベースであり、例えば、楽曲ＩＤ・曲名・アーティスト名・歌い出し部分の歌詞・流行時期・音楽ジャンル・デュエット曲か否かなど、種々の属性情報がこれに含まれている。楽曲検索手段２０ａは、利用者による指示入力に基づき、楽曲索引データベース２０ｂを参照して楽曲を検索する。
【００４２】
＜利用履歴一時記憶手段（データ記憶部）＞
利用履歴一時記憶手段（データ記憶部２０ｃ）は、利用者がログインした際に、サーバ９０から送信された当該利用者の利用履歴を記憶するための装置であり、例えば、ＲＡＭやＳＳＤ等からなるデータ記憶部２０ｃの一機能として実現される。データ記憶部２０ｃには、カラオケリモコン装置２０で管理する他のデータを記憶することができる。なお、利用履歴は、利用者がログアウトした際に、カラオケリモコン装置２０からサーバ９０に送信され、送信後に消去される。
【００４３】
＜利用履歴追加手段＞
利用履歴追加手段２０ｄは、利用者によるカラオケリモコン装置２０の操作及びカラオケ演奏装置１０の情報出力手段１０８から出力された歌唱に係る情報に基づいて、利用履歴一時記憶手段（データ記憶部２０ｃ）に記憶した当該利用者の利用履歴に履歴を追加するためのプログラムからなる。すなわち、利用者がカラオケリモコン装置２０を操作して選曲予約を行い、当該選曲予約されたカラオケ楽曲が演奏されて、歌唱採点手段１０７により採点データが生成されると、これらのデータを新たな履歴として、利用履歴一時記憶手段（データ記憶部２０ｃ）に記憶した当該利用者の利用履歴２１に追加する。
【００４４】
＜マイクロホン／スピーカ＞
マイクロホン３０は、歌唱音声の入力を行うための装置である。マイクロホン３０から入力された歌唱音声信号は、ミキシングアンプ６０により、音楽再生制御手段１０９から送出されるカラオケ演奏信号とミキシングされるとともに増幅され、スピーカ４０へ出力される。また、マイクロホン３０からの音声入力信号は、Ａ／Ｄコンバータ１１０によりデジタル変換し、歌唱採点手段１０７における採点データの生成に使用される。
【００４５】
＜表示装置＞
表示装置５０は、カラオケ楽曲に関連した背景映像や歌詞テロップ等を表示するための装置で、例えば、液晶ディスプレイ等により構成される。
【００４６】
＜カラオケ演奏装置＞
カラオケ演奏装置１０は、中央制御手段１０１、ＲＯＭ１０２、ＲＡＭ１０３、ＨＤＤ１０４、端末通信制御手段１０５、予約楽曲管理手段１０６、歌唱採点手段１０７、情報出力手段１０８、音楽再生制御手段１０９、Ａ／Ｄコンバータ１１０、映像再生制御手段１１１を備えている。
【００４７】
＜中央制御手段＞
中央制御手段１０１は、カラオケ演奏装置１０を総合的に制御するための電子機器であり、例えばＣＰＵ及びその周辺機器により構成されており、ＣＰＵ等がＲＯＭ１０２等に記憶されたプログラムに従って動作することにより、制御機能を発揮することができるようになっている。
【００４８】
＜ＲＯＭ／ＲＡＭ＞
ＲＯＭ１０２は、カラオケ演奏装置１０を構成する各機器を制御するためのプログラムデータや数値データを記憶するための電子機器である。また、ＲＡＭ１０３は、プログラムや各種データを一時的に記憶する一時記憶領域として機能する電子機器である。本実施形態では、ＲＡＭ１０３に、予約楽曲管理テーブル１０３ａが一時的に記憶される。
【００４９】
＜ＨＤＤ＞
ＨＤＤ１０４は、大容量記憶装置として機能するもので、楽曲データベース１０４ａ、背景映像データベース１０４ｂが格納されている。なお、ＨＤＤ１０４に替えて、あるいはＨＤＤ１０４と共に、データを書き替え可能なＤＶＤ等の大容量記憶手段を用いてもよい。
【００５０】
＜楽曲データベース／背景映像データベース＞
楽曲データベース１０４ａは、演奏制御データ（ＭＩＤＩ規格のデータ）及び歌詞描出データが同期されて構成される楽曲データについて、楽曲ＩＤと対応付けしてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。背景映像データベース１０４ｂは、演奏されるカラオケ楽曲に対応した背景映像を、当該カラオケ楽曲の楽曲ＩＤに対応させた背景映像ファイルとして所定数格納したデータベースである。
【００５１】
＜端末通信制御手段＞
端末通信制御手段１０５は、サーバ９０及びカラオケリモコン装置２０との間で、データ及び信号の送受信を制御するための電子機器及びプログラムからなる。この端末通信制御手段１０５の機能により、カラオケ演奏装置１０との間で送受信するデータ及び信号の同期や誤り制御等を行う。
【００５２】
＜ログイン／ログアウト＞
ログイン操作とは、利用者がカラオケリモコン装置２０を用いてログインするためのデータ（例えば、カラオケ演奏装置１０、カラオケリモコン装置２０の識別情報）をサーバ９０に送信する操作のことである。ログインするためのデータを受信したサーバ９０は、該当するカラオケリモコン装置２０に対して、当該利用者の利用履歴等を送信する。なお、利用者のログイン情報は、サーバ９０のログイン利用者管理データベース９５ａに記憶して管理される。
【００５３】
また、ログイン操作は、このような態様に限られず、ログインした利用者を特定して、利用者ＩＤを取得するための操作であれば、どのような態様であってもよい。また、ログアウト操作とは、利用者がカラオケリモコン装置２０の利用を終了したことを表す操作であり、利用者自らがログアウト操作を行ってもよいし、カラオケ店の管理者の操作によりログアウト操作を行ってもよい。
【００５４】
＜予約楽曲管理手段／予約楽曲管理テーブル＞
予約楽曲管理手段１０６は、任意の利用者がカラオケ楽曲の予約を行う際に、カラオケリモコン装置２０を用いて決定された予約楽曲の情報がカラオケ演奏装置１０に送信された後に、カラオケ演奏装置１０において、当該利用者の利用者ＩＤと予約楽曲の楽曲ＩＤとを対応付けして、予約楽曲管理テーブル１０３ａにて管理するためのプログラムからなる。すなわち、予約楽曲管理手段１０６は予約楽曲管理テーブル１０３ａを作成し、この予約楽曲管理テーブル１０３ａをＲＡＭ１０３に記憶して管理する。予約楽曲管理テーブル１０３ａは、利用者により楽曲検索手段２０ａの機能を用いて選曲された楽曲ＩＤを演奏順に並べて作成したデータテーブルである。
【００５５】
＜歌唱採点手段＞
歌唱採点手段１０７は、カラオケ演奏時に入力される歌唱音声から歌唱の巧拙を評価して採点データを生成するためのプログラムからなる。すなわち、歌唱採点手段１０７は、歌唱採点用リファレンスデータと歌唱音声を所定の歌唱区間ごとに比較することにより、歌唱の巧拙を評価した結果である歌唱得点を演奏終了とともに採点データとして出力する。採点データは、カラオケリモコン装置２０のデータ記憶部２０ｃに記憶される利用履歴２１の一部となる。
【００５６】
この歌唱採点手段１０７は、通常のカラオケ演奏の場合、利用者がカラオケリモコン装置２０の入出力表示部２０ｅを用いて歌唱採点指示入力を行った場合に歌唱採点を行う。歌唱採点を行うための指示入力は、例えば、楽曲の予約時に行うが、演奏の楽曲が開始するまでの間であれば、選曲予約後に歌唱採点を行うための指示入力を行ってもよい。
【００５７】
＜情報出力手段＞
情報出力手段１０８は、利用者の歌唱に係る情報を出力するためのプログラムからなる。すなわち、情報出力手段１０８は、予約楽曲管理手段１０６で管理されている予約楽曲管理テーブル１０３ａに従ってカラオケ楽曲が演奏されると、当該選曲予約を行った利用者の歌唱に係る情報を出力する。利用者の歌唱に係る情報とは、歌唱採点データ等のことである。
【００５８】
＜音楽再生制御手段＞
音楽再生制御手段１０９は、楽曲ＩＤに対応する楽曲データから抽出された演奏制御データに基づいて、音源（シンセサイザ）を駆動しカラオケ演奏信号を構成する楽音信号を生成するとともにアナログ変換してミキシングアンプ６０に出力するための電子機器である。また、ミキシングアンプ６０は、マイクロホン３０から入力された歌唱者の歌唱音声信号と、音楽再生制御手段１０９から送出されるカラオケ演奏信号とをミキシングすると共に、アンプ機能により増幅してスピーカ４０より出力するための装置である。
【００５９】
＜映像再生制御手段＞
映像再生制御手段１１１は、カラオケ楽曲の演奏中に、背景映像データベース１０４ｂから抽出した背景映像データと、楽曲データに含まれる歌詞描出データに基づいて作成される歌詞文字とを、当該カラオケ楽曲の楽曲データに同期させて表示装置５０に出力するための電子機器である。
【００６０】
＜利用履歴情報の追加及び管理＞
図３及び図４を参照して、利用履歴情報の追加及び管理について説明する。なお、説明を簡略なものとするため、複数のカラオケリモコン装置２０をそれぞれリモコンＡ、リモコンＢ、リモコンＣと称する。また、以下に示す時系列のログイン及びログアウトの結果、図３に示すように、利用履歴データベース９５ｂにおける利用履歴が追加変更される。
【００６１】
図４に示すように、一人の利用者が、同一のカラオケ演奏装置１０にペアリングされた（関連付けられた）リモコンＡ、リモコンＢ、リモコンＣの３台のカラオケリモコン装置２０を用いてログインし、選曲予約を行ったと仮定する。図４に示す例では、リモコンＡにログインした後、リモコンＢ、リモコンＣにログインし、リモコンＡからログアウトする前にリモコンＣから一旦ログアウトしている。その後、リモコンＡからログアウトし、リモコンＢへのログイン継続中に、再度、リモコンＣにログインし、リモコンＢからログアウトする前にリモコンＣからログアウトしている。そして、最後に、リモコンＢからログアウトしている。
【００６２】
リモコンＡにログインした際に、サーバ９０の利用履歴記憶手段（サーバ記憶手段９５）には「α」という利用履歴が既に記憶されていたとする。上記時系列でログインが行われた場合には、リモコンＡ、リモコンＢ、リモコンＣ（１回目のログイン）に対して、利用履歴「α」が送信され、それぞれ利用履歴一時記憶手段（データ記憶部２０ｃ）に一時記憶される。
【００６３】
その後、サーバ９０に対して、リモコンＣから１回目のログアウト記録が送信されると、リモコンＣにおけるログイン当初の利用履歴「α」に利用履歴「ｃ1」が追加された利用履歴「α＋ｃ１」が送信され、判定手段９４による判定が行われる。ここで、リモコンＣへのログイン中に他のリモコンＡ及びリモコンＢからのログアウトの記録がないため、利用履歴更新手段９３により、利用履歴が「α＋ｃ１」に書き換えられる。
【００６４】
次に、サーバ９０に対して、リモコンＡからのログアウト記録が送信されると、リモコンＡにおけるログイン当初の利用履歴「α」に利用履歴「ａ」が追加された利用履歴「α＋ａ」が送信され、判定手段９４による判定が行われる。ここで、リモコンＡへのログイン中に他のリモコンＣからのログアウトの記録があるため、利用履歴更新手段９３により、この時点で利用履歴記憶手段（サーバ記憶手段９５）に記憶されている利用履歴「α＋ｃ１」と、リモコンＡから送信された利用履歴「α＋ａ」とを比較し、利用履歴追加手段２０ｄにより追加された履歴である「ａ」を利用履歴に追加して、利用履歴を「α＋ｃ１＋ａ」とする。
【００６５】
次に、リモコンＣが２回目のログインを行うと、サーバの利用履歴記憶手段（サーバ記憶手段９５）には「α＋ｃ１＋ａ」という利用履歴が記憶されているため、リモコンＣに対して、利用履歴「α＋ｃ１＋ａ」が送信され、リモコンＣの利用履歴一時記憶手段（データ記憶部２０ｃ）に一時記憶される。
【００６６】
次に、サーバ９０に対して、リモコンＣからの２回目のログアウト記録が送信されると、リモコンＣにおける２回目のログイン当初の利用履歴「α＋ｃ１＋ａ」に利用履歴「ｃ２」が追加された利用履歴「α＋ｃ１＋ａ＋ｃ２」が送信され、判定手段９４による判定が行われる。ここで、リモコンＣへの２回目のログイン中に他のリモコンＡ及びリモコンＢからのログアウトの記録がないため、利用履歴更新手段９３により利用履歴が「α＋ｃ１＋ａ＋ｃ２」に書き換えられる。
【００６７】
次に、サーバ９０に対して、リモコンＢからのログアウト記録が送信されると、リモコンＢにおけるログイン当初の利用履歴「α」に利用履歴「ｂ」が追加された利用履歴「α＋ｂ」が送信され、判定手段９４による判定が行われる。ここで、リモコンＢへのログイン中に他のリモコンＡ及びリモコンＣからのログアウトの記録があるため、利用履歴更新手段９３により、この時点で利用履歴記憶手段（サーバ記憶手段９５）に記憶されている利用履歴「α＋ｃ１＋ａ＋ｃ２」と、リモコンＢから送信された利用履歴「α＋ｂ」とを比較し、利用履歴追加手段２０ｄにより追加された履歴である「ｂ」を利用履歴に追加して、利用履歴を「α＋ｃ１＋ａ＋ｃ２＋ｂ」とする。
【符号の説明】
【００６８】
１００  カラオケシステム
１０  カラオケ演奏装置
２０  カラオケリモコン装置
２０ａ  楽曲検索手段
２０ｂ  楽曲索引データベース
２０ｃ  データ記憶部（利用履歴一時記憶手段）
２０ｄ  利用履歴追加手段
２０ｅ  入出力表示部
２１  利用履歴
３０  マイクロホン
４０  スピーカ
５０  表示装置
６０  ミキシングアンプ
７０  ルータ
８０  データ通信回線
９０  サーバ
９１  サーバ制御手段
９２  サーバ通信制御手段
９３  利用履歴更新手段
９４  判定手段
９５  サーバ記憶手段（利用履歴記憶手段）
９５ａ  ログイン利用者データベース
９５ｂ  利用履歴データベース
１０１  中央制御手段
１０２  ＲＯＭ
１０３  ＲＡＭ
１０３ａ  予約楽曲管理テーブル
１０４  ＨＤＤ
１０４ａ  楽曲データベース
１０４ｂ  背景映像データベース
１０５  端末通信制御手段
１０６  予約楽曲管理手段
１０７  歌唱採点手段
１０８  情報出力手段
１０９  音楽再生制御手段
１１０  Ａ／Ｄコンバータ
１１１  映像再生制御手段
【図１】
0006415355.tif 000002
【図２】
0006415355.tif 000003
【図３】
0006415355.tif 000004
【図４】
0006415355.tif 000005